(57)【特許請求の範囲】
【請求項１】
有底角筒状の箱本体の上端の一辺を基端として蓋板を開閉可能に備えてなり、蓋板の自由端部に差し込み片を備え、前記蓋板の差し込み片と当接する背面板の上端部に上開き形状のミシン目によって囲まれた開封押圧部を備え、開封押圧部の内面と差し込み片とを固着した固着部を備えた包装用箱において、
上開き形状のミシン目の両端部に上縁にかけて開口するＶ字状の切欠部を形成し、
固着部は、開封押圧部内面の左右の際部を含むことを特徴とする包装用箱。
【請求項２】
Ｖ字状の切欠部は、開封押圧部側の一辺と非押圧部側の一辺とを有し、ミシン目のライン上に、前記各辺の交点となる頂点を配置し、背面板の上縁に直交し前記頂点を通過する仮想線に対して開封押圧部側の一辺を含む仮想線が交差する角を押圧部側切欠角とし、前記仮想線に対して非押圧部側の一辺を含む仮想線が交差する角を非押圧部側切欠角とし、非押圧部側切欠角は押圧部側切欠角よりも大きく形成したことを特徴とする請求項１記載の包装用箱。
【請求項３】
Ｖ字状の切欠部の深さ寸法（Ｄ）は１ｍｍ以上５ｍｍ以下であり、且つ、切欠部の深さ寸法（Ｄ）と切欠部の幅寸法（Ｗ５）の比率は、前記切欠部深さ寸法（Ｄ）が１であるのに対して切欠部の幅寸法が２〜４であることを特徴とする請求項１又は２記載の包装用箱。
【請求項４】
背面板の上縁のうち開封押圧部の左右に設けられた非押圧部の幅寸法が５ｍｍ以上５０ｍｍ以下であることを特徴とする請求項１、２又は３記載の包装用箱。
【請求項５】
蓋板と差し込み片との境界ラインに突出部を形成した包装用箱において、突出部の幅寸法が開封押圧部の幅寸法よりも小さいことを特徴とする請求項１、２、３又は４記載の包装用箱。
【発明の詳細な説明】
【技術分野】
【０００１】
本発明は、包装用箱に関し、特には、蓋部に開封検知手段を備えた紙製の包装用箱に関するものである。
【背景技術】
【０００２】
従来、収納物を包装するための種々の紙製の包装用箱が案出されている。
このような箱のうち、特に医薬品等を収納する包装用箱は、通常、医薬品が複数個収納されており、その全てを一度に使用することもないため、一旦包装用箱を開封したあとでも、再度閉蓋できる必要がある。
【０００３】
一方、店頭販売されている商品の包装用箱を、悪意をもって気づき難い方法（カッターを上蓋の隙間に差し込んで開封する方法等）で開封されることがある。このような悪意による開封を検知、阻止すべく、包装用箱には様々な開封検知手段が設けられている。医薬品等を収納する包装用箱は、上記したように、一旦包装用箱を開封したあとでも、再度閉蓋できる要件を満たした上で、上記のように開封検知手段（例えば、開封口にミシン目で形成された押圧開封手段等）が設けられる。
【０００４】
また、正規に購入した後、購入者の家族等が購入者に知らせずに上記したような開封検知可能な開封手段を使用せず、予定されない開封方法（例えば箸等の棒状物や指の爪先等を上蓋の隙間に差し込んで開封する等）により開封して収納物の一部を取り出して蓋を閉め、後に、購入者が開封検知可能な開封手段から開封すると、既に中の収納物の数が減少しているため、事情を知らない購入者は、製造段階の梱包不良であると誤って判断することにもなり、消費者クレームに繋がることがある。
【０００５】
このような不正開封の検知や誤開封の防止を目的とするものではないが、開封の確認が行える箱としては、例えば、箱体の一部であるその前壁の上部に、前壁の上縁に達するＵ字上の断続線によって囲まれた押圧部を形成し、箱体の一部であるその後壁に後部折目を介して連なる蓋片を以て箱体上部の内容物取出口を閉塞し、蓋片の前縁に前部折目を介して連なる挿込み片を前壁の裏面に接するように箱体内に挿入するとともに押圧部の裏面を挿込み片の表面に貼着してなる包装用紙箱（例えば、特許文献１参照。）が公知である。
【０００６】
また、開封の防止を目的としたものとして、例えば、正面板、右側板、背面板及び左側板よりなる角筒体の背面板の上下に蓋板を連接し、蓋板のそれぞれの先端の挿入片を正面板内面に差し込み、双方或いは片方を開封用ミシン目で囲った正面板の内面に挿入片を貼着し、角筒板の上限開放端を閉塞する仰開式容器において、前記蓋板と挿入片との連接折目上に端を終始する切目を挿入片に穿設して蓋板と連続する突出部を形成し、該突出部成形切目上に端を終始する前記正面板のミシン目より小さなミシン目と挿入片に穿設し、ミシン目と切目との間を貼着片とし、前記挿入片を正面板内面に差し込む際に、該装着片を開封用ミシン目内等の正面板内面に貼着したことを特徴とする仰開式剥離開封防止容器（例えば、特許文献２参照。）が公知である。
【０００７】
また、同様に開封の確認を可能とする包装用箱として、胴部に、当該胴部の開口部を覆う上蓋部を延設し、前記上蓋部の先端部に、前記胴部の内部に差し込まれる差し込み片部を設けてある包装用箱であって、前記差し込み片部に、前記差し込み片部の他の部分よりも差し込み長さの長い差込ガイド部を形成し、前記差込ガイド部とは異なる位置に対応する前記上蓋部の位置に、孔部を形成可能な指掛部と、前記上蓋部の組立状態において、前記指掛部と前記胴部とを連結する封緘手段と、前記指掛部を操作して、前記孔部を形成することにより表示可能とする開封済み表示部とを設けてある包装用箱（例えば、特許文献３参照。）が公知である。
【０００８】
更に、開封の確認を可能とする包装用箱として、上面を開放した箱本体と、箱本体の第１側板に連設されて箱本体の上面開口部を開閉する蓋体とを備え、前記第１側板に対面する第２側板に内側へ折り返して第２側板に重ね合わされる折り返し部を連設し、前記蓋体の遊端部に、折り返し部の内面に沿って箱本体内に差し込み可能な差し込み部を連設し、前記第２側板における上部に差し込み部に対面させて第１切取部を形成し、前記第１切取部に対面する位置において折り返し部に第２切取部を形成し、前記第２切取部を差し込み部に接着して閉蓋することを特徴とする開封確認可能な包装用箱（例えば、特許文献４参照。）が公知である。
【先行技術文献】
【特許文献】
【０００９】
【特許文献１】実公昭５０−４０７２９号公報
【特許文献２】実開昭６１−１４６２２１号公報
【特許文献３】特開２００５−２９８０４９号公報
【特許文献４】特開２００８−１２０４２０号公報
【発明の概要】
【発明が解決しようとする課題】
【００１０】
上記特許文献１に係る包装用箱によれば、挿込み片を前壁の裏面に接するように箱体内に挿入するとともに押圧部の裏面を挿込み片の表面に貼着してなる構成によって、通常の開封方法によって開封したことを識別できるが、前壁の上縁と蓋片との間に、指の爪先や箸等の棒状物等を差し込む等の方法を行うと、開封検知がされることなく開封される欠点があった。
【００１１】
上記特許文献２は、カッター等を上蓋の隙間に差し込んで開封する行為に対して、突出部を有することで、これを阻止しようとするものであり、一定の効果が得られるものである。しかしながら、カッターを挿入せず、上蓋に爪先等を差し込むと、突出部を回避して挿入片と正面板とを剥離できる。
この際に、同特許文献２の図５に開示されるように、貼着片が挿入片から分離されると確かに一旦開封されたことに気づき易くはなるものの、再度蓋を閉じてしまうと開封されたことが外観上判断できなくなるため、通常の方法の通り、外部から開封用ミシン目を押圧して開封すると、一旦開封されたことに全く気づかれずに開封される欠点がある。
また、同特許文献２に開示される具体的な構成によれば、カッターによる不正開封を阻止するための突出部はミシン目の両端間の寸法よりも大きく形成され、上蓋の縁部を補強する作用を伴うため、開封後蓋を閉じても、箱の変形や歪みなどが外観上に現れ難い欠点がある。
【００１２】
上記特許文献３は、指掛部と胴部とを連結する封緘手段と、前記指掛部を操作して、前記孔部を形成することにより表示可能とする開封済み表示部とを設けてある包装用箱の構成であり、封緘手段が切断されると、外観上開封されたことが判断できるが、封緘テープの使用が前提であるため、製造工程の増加や材料の増加を伴い、包装のための製造コストが高価となる欠点があった。
【００１３】
また、上記特許文献４によれば、開封の確認を可能とする包装用箱として、上面を開放した箱本体と、箱本体の第一側板に連設されて箱本体の上面開口部を開閉する蓋体とを備え、前記第一側板に対面する第二側板に内側へ折り返して第二側板に重ね合わされる折り返し部を連設し、前記蓋体の遊端部に、折り返し部の内面に沿って箱本体内に差し込み可能な差し込み部を連設し、前記第二側板における上部に差し込み部に対面させて第１切取部を形成し、前記第１切取部に対面する位置において折り返し部に第２切取部を形成し、前記第２切取部を差し込み部に接着して閉蓋する構成であり、封緘テープの使用を前提としない点で特許文献３よりも優れるが、結局、特許文献１と同様に、上縁と蓋片との間にカッターや爪先を差し込む等の方法を行うと、開封検知がされることなく開封される欠点は解消できないものであった。
【００１４】
本発明は、包装用箱の誤開封を防止し、誤開封に起因する消費者クレームを防止することを目的としてなされたものであり、極めて簡素な構成でありながら、上蓋の隙間に爪先を入れて開封を試みると、上蓋を再度閉じた状態であっても容易に外観上開封したことが判別でき、封緘やシュリンク等を使用する必要がなく、意図されない方法で開封がされても、外観上から開封されたことが視認できる、安価な包装用箱の提供を、発明が解決しようとする課題とする。
【課題を解決するための手段】
【００１５】
本発明は、有底角筒状の箱本体の上端の一辺を基端として蓋板を開閉可能に備えてなり、蓋板の自由端部に差し込み片を備え、前記蓋板の差し込み片と当接する背面板の上端部に上開き形状のミシン目によって囲まれた開封押圧部を備え、開封押圧部の内面と差し込み片とを固着した固着部を備えた包装用箱において、上開き形状のミシン目の両端部に上縁にかけて開口するＶ字状の切欠部を形成し、固着部は、開封押圧部内面の左右の際部を含むことを特徴とする包装用箱を、課題を解決するための手段とする。尚、本発明のＶ字状の切欠部における「Ｖ字状」とはその両端部分が湾曲した形状となるものも含む。また、「開封押圧部内面の左右の際部を含む」とは、左右のミシン目と固着部との間隙寸法を小さくすることを意味する。
【００１６】
また、本発明は、上記発明において、Ｖ字状の切欠部は、開封押圧部側の一辺と非押圧部側の一辺とを有し、ミシン目のライン上に、前記各辺の交点となる頂点Ｋを配置し、背面板の上縁に直交し前記頂点を通過する仮想線Ｌに対して開封押圧部側の一辺を含む仮想線が交差する角を押圧部側切欠角とし、前記仮想線に対して非押圧部側の一辺を含む仮想線が交差する角を非押圧部側切欠角とし、非押圧部側切欠角は押圧部側切欠角よりも大きく形成したことを特徴とする包装用箱を、課題を解決するための手段とする。
【００１７】
更に、本発明は、上記いずれかの発明において、背面板の上縁のうち開封押圧部の左右に設けられた非押圧部の幅寸法が５ｍｍ以上５０ｍｍ以下としたことを特徴とする包装用箱を、課題を解決するための手段とする。
【００１８】
また、本発明は上記発明で蓋板と差し込み片との境界ラインに突出部を形成した包装用箱において、突出部の幅寸法が開封押圧部の幅寸法よりも小さいことを特徴とする包装用箱を、課題を解決するための手段とする。
【発明の効果】
【００１９】
請求項１に係る発明によれば、有底角筒状の箱本体の上端の一辺を基端として蓋板を開閉可能に備えてなり、蓋板の自由端部に差し込み片を備え、前記蓋板の差し込み片と当接する背面板の上端部に上開き形状のミシン目によって囲まれた開封押圧部を備え、開封押圧部の内面と差し込み片とを固着した固着部を備えた包装用箱において、上開き形状のミシン目の両端部に上縁にかけて開口するＶ字状の切欠部を形成し、開封押圧部内面の左右の際部を含む固着部を備えたこととしたから、Ｖ字状の切欠部の形成によって、非押圧部の上縁と開封押圧部の上縁とが切り離されて、独立した撓みを有することとなり、非押圧部の上縁が大きく撓むこととなり、ミシン目に沿って当該隙間からミシン目を破断する側へガイドさせ、ミシン目を容易に破断させることができる。また、固着部がミシン目の際部まで設けられているので、開封押圧部の押圧によらない開封が行われるに際して、固着がされていない非押圧部から爪先や棒状物等を差し込もうとすると、非押圧部の上縁の撓み量が大きくなり、容易に爪先や棒状物等がＶ字状の切欠部へガイドされることとなり、ミシン目を容易に破断させることができる。このため、開封操作を行ったことが外観上すぐに判別できる。
【００２０】
また、上記構成によって、封緘やシュリンク等は不要であり、ミシン目、切欠部、固着部の形成だけで実現でき、更には、通常の包装用箱の製造設備に加えて新たな設備を導入することもないから、非常に安価に開封検知手段を備えた包装用箱を提供することができる。
【００２１】
請求項２に係る発明は、上記請求項１に係る発明の構成を備えた上で、Ｖ字状の切欠部は、開封押圧部側の一辺と非押圧部側の一辺とを有し、ミシン目のライン上に、前記各辺の交点となる頂点Ｋを配置し、背面板の上縁に直交し前記頂点を通過する仮想線Ｌに対して開封押圧部側の一辺を含む仮想線が交差する角を押圧部側切欠角とし、前記仮想線に対して非押圧部側の一辺を含む仮想線が交差する角を非押圧部側切欠角とし、非押圧部側切欠角は押圧部側切欠角よりも大きく形成し、非押圧部側を緩やかな傾きとし、開封押圧部側をより急勾配とする傾きの相違を設けたことで、上記請求項１の作用効果に加えて、爪先等をガイドする背面板２の上縁から切欠部にかけて前記非押圧部側切欠角Ｑの大きな傾斜によって緩やかにミシン目に沿って、当該隙間からミシン目を破断する側へ当該爪先等をガイドさせ、その一方でより小さく形成された押圧部側切欠角Ｐによって爪先等が継続して隙間内へスライドすることを阻止し、より容易に指の爪先や棒状物等がＶ字状の切欠部へガイドされることとなり、ミシン目を容易に破断させることができる。
【００２２】
請求項３に係る発明によれば、上記請求項１又は請求項２に係る発明の構成を備えた上で、Ｖ字状の切欠部の深さ寸法（Ｄ）は１ｍｍ以上５ｍｍ以下であり、且つ、切欠部の深さ寸法（Ｄ）と切欠部の幅寸法（Ｗ５）の比率は、前記切欠部深さ寸法（Ｄ）が１であるのに対して切欠部の幅寸法が２〜４であることとしたから、上記請求項１又は２の作用効果を奏する上で、切欠部の各辺近傍が撓むこともないので、製造過程、流通過程において切欠部の各辺近傍が不用意に捲れることもなく、正常にミシン目の破断を生じさせることができる。
【００２３】
請求項４に係る発明によれば、上記請求項１、請求項２又は請求項３に係る発明の構成を備えた上で、背面板の上縁のうち開封押圧部の左右に設けられた非押圧部の幅寸法が５ｍｍ以上５０ｍｍ以下としたことから、上記請求項１又は２の作用効果を奏するものとした上で、５ｍｍ以上５０ｍｍ以下とした、主として爪先を差し込めるか差し込めない程度の僅かな隙間しか形成されていないため、開封押圧部の押圧によらない開封が行われるに際して、固着がされていない非押圧部から爪先や棒状物等を差し込もうとすると、非押圧部の上縁の撓み量がより大きくなり、容易に爪先や棒状物等がＶ字状の切欠部へガイドされることとなり、ミシン目を更に容易に破断させることができる。このため、開封操作を行ったことが外観上すぐに判別できる。
【００２４】
請求項５に係る発明によれば、上記請求項１、請求項２、請求項３又は請求項４に係る発明の構成を備えた上で、蓋板と差し込み片との境界ラインに突出部を形成した包装用箱において、突出部の幅寸法が開封押圧部の幅寸法よりも小さいこととしたから、上記請求項１、２又は３記載の発明の作用効果を奏するものとした上で、従来の突出部を形成したことによるカッターでの不正開封の防止機能により複数の不正開封防止手段を備えただけでなく、突出部の幅寸法が開封押圧部の幅寸法よりも小さくしてＶ字状の切欠部と重ならない位置とすることで、Ｖ字状の切欠部からミシン目が破断された状態を外観上明瞭に判断できる状態を確保することができる。
【図面の簡単な説明】
【００２５】
【図１】本発明の実施例１に係る包装用箱を示す斜視図である。
【図２】本発明の実施例１に係る包装用箱の蓋板の組立段階における閉蓋前の状態を示す斜視図である。
【図３】意図されない方法での開封の試行がされた形跡を有する状態を示す本発明の実施例１にかかる包装用箱を示す斜視図である。
【図４】本発明の実施例１に係る包装用箱の通常の開封状態を示す斜視図である。
【図５】本発明の実施例１に係る包装用箱の展開平面図である。
【図６】本発明の実施例１に係る包装用箱の開封押圧部、非押圧部を示す一部拡大図である。
【図７】本発明の実施例２に係る包装用箱を示す斜視図である。
【図８】本発明の実施例２に係る包装用箱の蓋板の組立段階における閉蓋前の状態を示す斜視図である。
【図９】本発明の実施例２に係る包装用箱の開封押圧部、非押圧部を示す一部拡大図である。
【発明を実施するための形態】
【００２６】
本発明は、有底角筒状の箱本体の上端の一辺を基端として蓋板３を開閉可能に備えてなり、蓋板３の自由端部に差し込み片４を備え、前記蓋板３の差し込み片４と当接する背面板２の上端部に上開き形状のミシン目２３によって囲まれた開封押圧部２０を備え、開封押圧部２０の内面と差し込み片４とを接着剤９で接着した固着部を備えた包装用箱において、上開き形状のミシン目２３の両端部に上縁にかけて開口するＶ字状の切欠部２２を形成し、背面板２の上縁のうち開封押圧部２０の左右に設けられた非押圧部２１の幅寸法が５ｍｍ以上５０ｍｍ以下、好ましくは１０ｍｍ以上３０ｍｍ以下であり、開封押圧部２０の内面の左右に亘り連続した固着部を備えたこととしたから、開封押圧部２０の押圧によらない開封が行われるに際して、接着がされていない非押圧部２１から爪先Ｆや棒状物等を差し込もうとすると、固着部が長手に亘ってミシン目２３の際部２００まで設けられおり爪先Ｆを差し込めるか差し込めない程度の僅かな隙間しか形成されていないため、容易に爪先Ｆや棒状物等がＶ字状の切欠部２２へガイドして、ミシン目２３もしくはミシン目２３に連続する背面板２を容易に破断させ、開封操作を行ったことが外観上すぐに判別できる、非常に安価に開封検知手段を備えた包装用箱１を実現した。
【実施例１】
【００２７】
図１は本発明の実施例１に係る包装用箱１を示す斜視図、図２は同実施例１に係る包装用箱１の蓋板３の組立段階における閉蓋前の状態を示す斜視図、図３は意図されない方法での開封の試行がされた形跡を有する状態を示す同実施例１にかかる包装用箱１を示す斜視図、図４は同実施例１に係る包装用箱１の通常の開封状態を示す斜視図、図５は同実施例１に係る包装用箱１の展開平面図である。
【００２８】
本発明の実施例１に係る包装用箱１は、図１、図２、図５に示すように、直方体形状を有する紙製の包装用箱１であり、正面板７、右側板５、左側板６、背面板２、該背面板２の側面に設けた接続片２５の各境界ラインを山折し、前記接続片２５を前記右側板５の裏面に貼着して角筒形状とし、底板８によって包装用箱１の底面が形成されることで、箱本体を形成する。前記正面板７の上縁に山折線を介して蓋板３が連続一体に設けてあり、蓋板３の自由端部には山折線を介して差し込み片４を設けてある。
また、正面板７に対向する背面板２の上縁部に開封手段となる開封押圧部２０を設けてある。右側板５の上縁には右舌片５０を一体に形成し、左側板６の上縁には左舌片６０を一体に形成してある。
【００２９】
開封手段は背面板２の上端部に上開き形状のミシン目２３によって囲まれた開封押圧部２０としてある。また、上開き形状のミシン目２３の両端部には、上縁にかけて開口するＶ字状の切欠部２２を形成してある。更に、開封押圧部２０の内面のうち左右のミシン目２３に近接する際（きわ）の部分を際部２００としている。一方、背面板２の上縁のうち開封押圧部２０の左右に非押圧部２１を設けている。本実施例における非押圧部２１は、左右とも概ね３０ｍｍ程度の幅寸法Ｗ４としている。
【００３０】
差し込み片４の外面には、図１及び図２に示すように、開封押圧部２０の幅寸法Ｗ１に対応する長さＷ２で、左右の際部２００間に連続して、ホットメルト接着剤９を塗布し、該差し込み片４の外面と開封押圧部２０の内面とを、前記ホットメルト接着剤９の加熱溶融により固着した固着部を形成している。固着部は、開封押圧部内面の左右の際部２００を含む構成、即ち、ミシン目２３と固着部との間隙寸法Ｗ６を小さくする構成としており、該間隙寸法Ｗ６は、概ね０〜３ｍｍ程度としてある。また、差し込み片４のうち当該非押圧部２１に当接する部分には接着剤９を塗布しない。
【００３１】
前記Ｖ字状の切欠部２２は、図６に示すように、開封押圧部２０側の一辺２２０と、非押圧部２１側の一辺２２１とを有し、ミシン目２３の終端上に、各辺２２０、２２１の交点である、切欠部２２の頂点Ｋが配置する。背面板２の上縁に直交し前記頂点Ｋを通過する仮想線Ｌに対して開封押圧部２０側の一辺２２０を含む仮想線Ｍが交差する角を押圧部側切欠角Ｐとし、前記仮想線Ｌに対して非押圧部２１側の一辺２２１を含む仮想線Ｎが交差する角を非押圧部側切欠角Ｑとすると、非押圧部側切欠角Ｑは押圧部側切欠角Ｐよりも大きく形成してある。また、仮想線Ｍと背面板２の上縁ラインＲ１との交差部、仮想線Ｎと背面板２の上縁ラインＲ２との交差部は夫々、角を落として丸みを持たせてある。本実施例１における切欠部２２の深さ寸法Ｄは約２ｍｍであり、最大の幅寸法Ｗ５は約４ｍｍとしてある。
【００３２】
上記実施例１に係る包装用箱１によれば、図１に示す未開封状態から通常の操作に従って、開封押圧部２０を爪先Ｆ等で押圧して背面板２のミシン目２３を切断すると、一般的な開封手段と同様に、開封押圧部２０と差し込み片４とが固着した状態で、差し込み片４が包装用箱１内へ落ち込んだ状態となり、当該状態から蓋板３を持ち上げることで、図４に示すように、開封することができる。
【００３３】
その一方で、開封押圧部２０の押圧によらない開封が行われるに際して、接着がされていない非押圧部２１から爪先Ｆや棒状物等を差し込もうとすると、固着部がミシン目２３の際部２００まで設けられ、ホットメルト接着剤９が塗布されていない箇所が左右の３０ｍｍの爪先Ｆを差し込めるか差し込めない程度の僅かな隙間しか形成されていないため、当該箇所から強引に爪先Ｆや棒状物等を挿入して当該爪先Ｆや棒状物等をスライドさせると、爪先Ｆや棒状物等がＶ字状の切欠部２２へガイドされることとなり、図３に示すように、ミシン目２３を非常にたやすく破断させ、更にはミシン目２３から下方など任意の方向に背面板２を破損させ、破損痕２４を生じさせることができる。このため、開封操作を行ったことが外観上すぐに判別できる。
【００３４】
本実施例１においては、上記したように、切欠部２２の形成によって、非押圧部２１の上縁と開封押圧部２０の上縁とが分離され、非押圧部２１の上縁は撓み易くなり、開封押圧部２０の上縁は撓み難くなり、夫々が独立した撓みを有することとなり、非押圧部２１の上縁が撓みながら、差し込み片４と背面板２の上縁との隙間から、切欠部２２を通じて、ミシン目２３に沿って、当該ミシン目２３を破断する側へ案内させる。
【００３５】
そして、本実施例においては、図６に示すように、非押圧部側切欠角Ｑは押圧部側切欠角Ｐよりも大きく形成してあるため、差し込み片４と接着されていない非押圧部２１側の隙間から爪先Ｆ等を差し込んで長手に当該爪先Ｆをスライドさせると、爪先Ｆ等をガイドする背面板２の上縁から切欠部２２にかけて前記非押圧部側切欠角Ｑの大きな傾斜によって緩やかにミシン目２３に沿って、当該隙間からミシン目２３を破断する側へ当該爪先Ｆ等をガイドさせ、その一方でより小さく形成された押圧部側切欠角Ｐによって爪先Ｆ等が継続して隙間内へスライドすることを阻止する作用を奏する。非押圧部側切欠角Ｑが押圧部側切欠角Ｐよりも大きく形成してあるため、当該切欠部２２の各辺２２０、２２１のうち、非押圧部２１側の一辺２２１をやや緩やかな傾きとし、開封押圧部２０側の一辺２２０をより急勾配とする、傾きの相違を設けることとなり、当該構成によって、更に、ミシン目２３の破断を極めて容易に行うことができる。
【００３６】
また、非押圧部２１と蓋板３とが重なり合う長手方向の距離（非押圧部２１の幅寸法）は概ね５ｍｍ以上５０ｍｍ以下とすると、爪先Ｆの挿入が不可能か、爪先Ｆを一本入れたことで非押圧部２１の上縁部が大きく撓んで、容易にミシン目２３を破断させる程度とすることができる。
【００３７】
非押圧部２１と蓋板３とが重なり合う長手方向の距離が概ね５０ｍｍを超えると、背面板２全体の撓みによって非押圧部２１の上縁部の撓みが吸収され易くなり、ミシン目２３の破断を起こし難くなる傾向を生じる。
また、押圧部２１と蓋板３とが重なり合う長手方向の距離が５ｍｍ未満となると、爪先Ｆのみならず棒状物等の挿入も容易でなくなる点でより好ましいものの、開封後再度差し込み片４を背面板２の内面に当接させて蓋板３を閉じた状態において、背面板２が差し込み片４の復元力によって押圧されて撓み、背面板２から差し込み片４が外れ、不用意に蓋板３が開放される不具合を生じやすくなる。
【００３８】
尚、図３においては、右側面側からの開封を行った場合のミシン目２３の破断を示したものであるが、左側面側からの開封を同様に行った場合には、左側面側のミシン目２３が同様に破断することとなる。
【００３９】
このため、特に機能的な安定性を確実とするために、非押圧部２１と蓋板３との隙間の範囲は再度の閉蓋状態の確実性がより優れた概ね１０ｍｍ以上とし、爪先Ｆの挿入時にミシン目２３の自動的な破断をより起こし易くする３０ｍｍ以下とすれば、より一層好ましい。
【００４０】
また、切欠部２２については、本実施例１において、上記したように、深さ寸法Ｄは約２ｍｍ、最大の幅寸法Ｗ５は約４ｍｍとしたが、深さ寸法Ｄは１ｍｍ以上５ｍｍ以下とし、切欠部２２の深さ寸法Ｄに対して幅寸法Ｗ５が２〜４倍の範囲であれば、特に良好にミシン目２３の破断を生じさせることができる。
深さ寸法Ｄに対する幅寸法Ｗ５が２倍未満の寸法であったり、深さ寸法が５ｍｍを超える大きさとなると、製造過程や流通過程において切欠部２２の各辺近傍が捲れ易くなる傾向を生じる。また深さ寸法Ｄに対する幅寸法が４倍を超えたり、深さ寸法Ｄが１ｍｍ未満であると、切欠部２２の機能が十分に作用せず、指の爪先や箸等の棒状物等を差し込んだ際に、良好なミシン目２３の破断を生じ難くなる傾向を生じる。
【実施例２】
【００４１】
図７は本発明の実施例２に係る包装用箱１を示す斜視図、図８は同実施例２に係る包装用箱１の蓋板３の組立段階における閉蓋前の状態を示す斜視図、図９は同実施例２に係る包装用箱１の開封押圧部２０、非押圧部２１を示す一部拡大図である。
【００４２】
本発明の実施例２に係る包装用箱１は、上記実施例１に係る包装用箱１を基本構成として、蓋板３と差し込み片４との境界部に、突出部３０を形成した構成である。従って、本実施例２においては、基本的に、上記実施例１に係る包装用箱１と同様の作用効果を奏する。
【００４３】
本実施例２に係る包装用箱１における突出部３０は蓋板３と差し込み片４との境界部において左右二箇所に並設した構成であり、その突出部３０のいずれの幅寸法Ｗ３もが、開封押圧部２０の左右のミシン目２３間の幅寸法Ｗ１（即ち、開封押圧部２０の幅寸法）よりも小さく形成してあり、更に、二つの突出部３０とその間の寸法を合わせた範囲が開封押圧部２０の左右のミシン目２３間の幅寸法Ｗ１よりも小さく形成してあり、更には、切欠部２２に重ならない位置で、且つ、切欠部２２よりも中央寄りの位置としたものである。
【００４４】
上記位置に非常に限定された幅寸法Ｗ３を有する突出部３０を形成することによって、従来の突出部３０を設けたことによるカッターの刃を用いた切断を阻止できる付随効果を備えることができ、且つ、突出部３０が操作上、爪先Ｆ等干渉することなく、Ｖ字状の切欠部２２へのガイド機能を発揮させることで、ミシン目２３を非常に容易に破断させ、開封操作を行ったことが突出部３０に隠されることもなく、外観上すぐに判別できる効果を兼備させることができる。
【００４５】
尚、上記実施例１、２においてはいずれも蓋板３に対して本発明の開封検知手段を設けたが、本発明においては、底板８の開封検知手段についても、例えば上記実施例１、２と同様の構成を上下対称とし、差し込み片４、右舌片５０、左舌片６０に代えて、差し込み片４ａ、右舌片５０ａ、左舌片６０ａを同様に用いて設けることもできる。
【００４６】
また、本発明に係る包装用箱１は、背面板２を正面側、正面板７を背面側に配置して使用することもでき、本発明における背面板２はこのようにして正面側に配置される場合を含む。
【００４７】
また、上記実施例１、２においてはいずれも固着部の形成を接着剤９によって行ったが、本発明はこれに限るものではなく、例えば、接着力の高い両面テープ等を用いることもできる。
【００４８】
また、上記実施例１、２においてはいずれも固着部の形成について、左右の際部２００間に連続して接着剤９を塗布するものとしたが、本発明はこれに限るものではなく、左右の際部２００を含むのであれば、間欠的且つ線状に（即ち、点線状に）接着剤９を塗布することもできるし、上下左右へ広範囲に亘って点状に塗布する等の構成とすることもできる。
また、本発明における固着部は、左右の際部２００についてその上下方向に亘って全て含む必要はなく、固着部に左右双方の際部２００の一部が含まれていればよい趣旨である。
左右のミシン目２３と固着部との間隙の寸法（即ち、際部２００で許容するミシン目からの固着部までの距離）を小さくする点については、実施例１、２においては、上記したように、概ね０ｍｍから３ｍｍ程度としているが、ミシン目２３の破断容易性の確保と不用意な破断の防止が実現できる範囲であれば、これに限定するものではない。
【符号の説明】
【００４９】
１      包装用箱
２      背面板
２０    開封押圧部
２００  際部
２１    非押圧部
２２    切欠部
２２０  一辺（開封押圧部側）
２２１  一辺（非押圧部側）
２３    ミシン目
２４    破損痕
３      蓋板
３０    突出部
４      差し込み片
５      右側板
５０    右舌片
６      左側板
６０    左舌片
７      正面板
８      底板
９      接着剤
Ｄ      深さ寸法（切欠部の深さ寸法）
Ｆ      爪先
Ｋ      頂点
Ｌ      仮想線
Ｍ      仮想線
Ｎ      仮想線
Ｐ      押圧部側切欠角
Ｑ      非押圧部側切欠角
Ｒ１    上縁ライン
Ｒ２    上縁ライン
Ｗ１    幅寸法（左右ミシン目間の幅寸法）
Ｗ２    長さ（ホットメルト接着剤の長さ）
Ｗ３    幅寸法（突出部の幅寸法）
Ｗ４    幅寸法（非押圧部の幅寸法）
Ｗ５    幅寸法（切欠部の幅寸法）
Ｗ６    間隔寸法
【図１】
0005469499.tif 000002
【図２】
0005469499.tif 000003
【図３】
0005469499.tif 000004
【図４】
0005469499.tif 000005
【図５】
0005469499.tif 000006
【図６】
0005469499.tif 000007
【図７】
0005469499.tif 000008
【図８】
0005469499.tif 000009
【図９】
0005469499.tif 000010